(57)【要約】【課題】十分な打撃破壊からの保護機能を有し、同時に多数の有用な機能を持ち、既存の蛍光灯台に簡単に装着できる蛍光灯用保護パイプとその使用方法を提供する。【解決手段】パイプ外面に光触媒皮膜を形成し、あるいは機能フィルムを透明なプラスチックパイプ内面に装着した蛍光灯用保護パイプを、パイプ内面が蛍光灯管球と接した状態で使用する。【選択図】図１
2006059536.tif 000002
【特許請求の範囲】
【請求項１】
透明なプラスチックパイプ外面に光触媒皮膜を形成せしめ、パイプ内面が蛍光灯管球と接した状態で使用することを特徴とする蛍光灯用保護パイプとその使用方法。
【請求項２】
機能フィルムを透明なプラスチックパイプ内面に装着し、パイプ内面が蛍光灯管球と接した状態で使用することを特徴とする蛍光灯用保護パイプとその使用方法。
【請求項３】
前記機能フィルムが、装飾、サイン、紫外線カット、蓄光の中から選ばれた機能を有するフィルムであることを特徴とする請求項２記載の蛍光灯用保護パイプとその使用方法。
【請求項４】
前記機能フィルムが光反射フィルムであり、パイプ長尺方向に帯状に設けてあることを特徴とする請求項２記載の蛍光灯用保護パイプとその使用方法。
【請求項５】
前記光反射フィルムがアルミ蒸着フィルムであり、パイプ内径を蛍光灯管球径の１５０％以上にすることを特徴とする請求項４記載の蛍光灯用保護パイプとその使用方法。
【発明の詳細な説明】
【技術分野】
【０００１】
この発明は、蛍光灯を打撃破壊や汚れから保護すると同時に、光触媒、装飾、サイン、紫外線カット、蛍光、蓄光などの有用な機能を持ち、既存の蛍光灯台に簡単に装着できる蛍光灯用保護パイプとその使用方法に関する。
【背景技術】
【０００２】
蛍光灯は、地震等の災害時や、物がぶつかった時などには容易に破損して、内部の有毒な水銀蒸気の放散や割れたガラス破片の飛散により、「けが」や「商品汚染」などの事故が発生することが懸念されている。
【０００３】
従来から蛍光灯の保護方法として、蛍光灯を透明なプラスチックパイプ内に収容する方法が実用化されているが、この際同時に他の有用な機能をもたせる方法が提案されている。
【特許文献１】再公表００／０６８６１３号公報では、図４に示すように蛍光灯両端部に蓋状部を設けて管球を収納し、この際に紫外線吸収剤や装飾フィルムを併用することにより紫外線カットや装飾などの多機能の効果を持たせることができるとされている。
【特許文献２】特開２００２−６３８０８／０６８６１３号公報では、図５に示すように管球を挟み込むような楕円筒状のパイプの片面にアルミ箔を貼り、保護と同時に照明効率を上げる方法が提案されている。
【発明の開示】
【発明が解決しようとする課題】
【０００４】
しかし、これらの従来技術は下記の理由であまり普及していない。
【特許文献３】の技術は  (1)すでに蛍光灯台が設置されているところが多く、そこに使用するとすれば、の方法では両端の蓋状部がじゃまになりパイプを挿入できない。結局蛍光灯台ごとの交換が必要になる。  (2)蛍光灯が蓄熱し、耐久性、照明効率が悪くなる。  (3)多数の部品が必要になり、製造コストが高くなる。
【特許文献４】の場合は、パイプ形状が非円筒状で、管球を直に挟むため、打撃に対する保護機能が落ちる。さらに、これらの従来技術は、蛍光灯をパイプ内に挿入する操作が面倒である。
【０００５】
そこでこの発明は、十分な打撃破壊からの保護機能を有し、同時に多数の有用な機能を持ち、既存の蛍光灯台に簡単に装着できる蛍光灯用保護パイプを提供することを課題とする。
【課題を解決するための手段】
【０００６】
以上の課題を解決するために、第一発明は、透明なプラスチックパイプ外面に光触媒皮膜を形成せしめ、パイプ内面が蛍光灯管球と接した状態で使用することを特徴とする蛍光灯用保護パイプとその使用方法である。
第二発明は、機能フィルムを透明なプラスチックパイプ内面に装着し、パイプ内面が蛍光灯管球と接した状態で使用することを特徴とする蛍光灯用保護パイプとその使用方法である。
第三発明は、前記機能フィルムが、装飾、サイン、紫外線カット、蓄光の中から選ばれた機能を有するフィルムであることを特徴とする第二発明の蛍光灯用保護パイプとその使用方法である。
第四発明は、前記機能フィルムが光反射フィルムであり、パイプ長尺方向に帯状に設けてあることを特徴とする第二発明の蛍光灯用保護パイプとその使用方法である。
第五発明は、前記光反射フィルムがアルミ蒸着フィルムであり、パイプ内径を蛍光灯管球径の１５０％以上にするすることを特徴とする第四発明の蛍光灯用保護パイプとその使用方法である。
【発明の効果】
【０００７】
本発明に共通した要件である、パイプ内面を蛍光灯管球と接した状態で使用することによって、次のような有益な効果が得られる。
(1)管球径より大きいパイプ径のものを使用すれば、接点と反対面にパイプ内面との間隙ができるため、接点と反対面からの打撃から管球面を十分守る事ができる。このためにはパイプ内径は管球径の１２０％以上あるのが好ましい。
(2)蛍光灯の熱が管球に接したパイプ部分を伝わって外部に逃げるため、管球温度が上がりにくく、耐久性や照明効果が落ちない。
(3)蛍光灯台と管球の間にパイプ肉厚以上の間隙があれば使用できるため、直管式の蛍光灯台でそのまま使用できる。
(4)天井部に設置された蛍光灯に、本発明のパイプを追加挿入すれば、重力により自然にパイプ内面と管球が接する。従ってきわめて簡単に装着できる
(5)この場合室内方向からの打撃、例えば長尺棒状物の運搬作業による蛍光灯打撃などから蛍光灯破壊を守ることができる。
【０００８】
さらに第一発明によれば、パイプ外面に光触媒皮膜を形成せしめた結果、蛍光灯の紫外線成分により、パイプ外面に光触媒効果が発生し、第一発明のパイプを適用した室内の空気浄化が進む。
【０００９】
第二発明によれば、機能フィルムを透明なプラスチックパイプ内面に装着すれば、さまざまな機能を保護パイプに持たせることができる
この場合、蛍光管がパイプ内面に接する事で、使用中に機能フィルムがパイプ内面から剥離するのを防ぐ効果もある。
【００１０】
第三発明により、前記機能フィルムの具体的な用途例が示される。
(1)装飾フィルムとは、着色、柄、見る方向で色が変わるレインボウカラーなどの機能を有する光透過性フィルムであればよく、本フィルムをパイプ内面に装着することでアイキャッチ効果、室内ムード改善などの効果がある蛍光灯に変換できる。
(2)サインフィルムとは、文字、企業ロゴ、キャラクターなどが描画された光透過性フィルムであり、本フィルムをパイプ内面に装着することで広告ディスプレイ目的に使用できる。表札や方向指示板にもなる。
さらに有用なのは、(1)や(2)の機能フィルムは、自分がパソコン上で設計したデザインを、インクジェットプリンターを使って透明フィルムに印刷する方法で、誰でも簡単に製作できることである。
(3)紫外線カットフィルムとは、紫外光を吸収または反射して、可視光のみを透過する透明フィルムで、本フィルムをパイプ内面に装着することで
商品や装飾品の褪色劣化防止、昆虫飛来防止、レジストなどの感光性材料を用いた作業ルームの蛍光灯の紫外線カットに使用できる。
(4)蓄光フィルムとは蛍光灯点灯時に光を吸収しておき、消灯時に発光する透明フィルムで、本フィルムをパイプ内面に装着することで消灯・停電時の誘導灯としての役割が果たせる。
【００１１】
第四発明によれば、光反射性のフィルムをパイプ長尺方向に帯状に設け蛍光灯の光を無駄なく前面に出力することで、照明効率を大幅にあげることができる。このとき、反射フィルムに蛍光灯管球が接していることが非常に重要で、管球が円筒状パイプの中心位置より偏芯する為、反射光が前面に出力してくる様になる。
【００１２】
第五発明によれば、前記光反射フィルムにアルミ蒸着フィルムを用い蛍光灯管球に接して使用することと、パイプ内径を蛍光灯管球径の１５０％以上にすることが、照明効率を上げるのに非常に有効な手段である。
【発明を実施するための最良の形態】
【００１３】
この発明の一実施形態を、図１に示す。
機能フィルムとして、見る方向で色が変わる装飾フィルム（米国３Ｍ社製ミラージュフィルム）を使い、内周幅に切断したフィルムを市販ポリカーボネート製の透明パイプ（円筒形、外径５０ｍｍ内径４９ｍｍ）に挿入した。
【００１４】
「実施形態の効果」
市販蛍光灯（長さ１２００ｍｍ、管球径２８ｍｍ、４０Ｗ）を上記の保護パイプ内に挿入し点灯すると、見る方向で赤から青、さらに赤へと鮮やかに変色した。極めてアイキャッチ効果が高く、人が歩行移動する商店街の蛍光灯などに使うと非常に目立つので有用である。
【００１５】
「他の実施形態」
図２の実施形態では、機能フィルムとしてアルミ蒸着フィルムを使い、パイプ長尺方向に帯状に設け、蛍光灯管球が帯の中央部分に接しするように吊し、さらにパイプ内径を蛍光灯管球径の１５０％以上にすると、蛍光灯１ｍ真下部の照度を装着前より５０％以上向上することができた。
【００１６】
さらに図３の実施形態では、外側に光触媒をコーティングした保護パイプを用いた。すでに光触媒をコーティングされた蛍光灯が市販されているが、この方式であれば、光触媒による空気清浄化効果ばかりでなく、蛍光灯管球の破壊防止が同時に実現できる。
【図面の簡単な説明】
【００１７】
【図１】この発明の一実施形態を示す斜視図である。
【図２】この発明の一実施形態を示す斜視図である。
【図３】この発明の一実施形態を示す斜視図である。
【図４】従来技術を示す斜視図である。
【図５】別の従来技術を示す斜視図である。
【符号の説明】
【００１８】
１  蛍光灯管球          
２  ポリカーボネート製パイプ
３  機能性フィルム      
４  アルミ蒸着フィルム
５  光触媒コート膜
６  キャップ
７  反射板
【図１】
2006059536.tif 000003
【図２】
2006059536.tif 000004
【図３】
2006059536.tif 000005
【図４】
2006059536.tif 000006
【図５】
2006059536.tif 000007